(57)【特許請求の範囲】
【請求項１】
揮発性の汚染物質で汚染された汚染水を吸入する吸水口と、汚染水から汚染物質が除去された浄化水が排出される排水口と、気相変化された汚染物質が排出される排気口とが別個に開口された密閉の処理室を備え、処理室の内部に、汚染水，浄化水に流動性を付与する流動手段と、汚染水に含まれている汚染物質を気相変化させる気相変化手段と、汚染水から気相変化された汚染物質と浄化水とを分離する気液分離手段とを内蔵し、気液分離手段には排水口を気液分離面よりも下方で汚染水の水面以下に位置するように設置させて、処理室を汚染水の水面に浮遊させるフロートを備えてなる汚染水浄化装置。
【請求項２】
揮発性の汚染物質で汚染された汚染水を吸入する吸水口と、汚染水から汚染物質が除去された浄化水が排出される排水口と、気相変化された汚染物質が排出される排気口とが別個に開口された密閉の処理室を備え、処理室の内部に、汚染水，浄化水に流動性を付与する流動手段と、汚染水に含まれている汚染物質を気相変化させる気相変化手段と、汚染水から気相変化された汚染物質と浄化水とを分離する気液分離手段とを内蔵し、気液分離手段には開放口を上方に向けたＵ字形の排水口を気液分離面よりも下方で汚染水の水面以下に位置するように設置させてなる汚染水浄化装置。
【請求項３】
縦坑の内部に挿入される汚染水浄化装置であって、揮発性の汚染物質で汚染された汚染水を吸入する吸水口と、汚染水から汚染物質が除去された浄化水が排出される排水口と、気相変化された汚染物質が排出される排気口とが別個に開口された密閉の処理室を備え、処理室の内部に、汚染水，浄化水に流動性を付与する流動手段と、汚染水に含まれている汚染物質を気相変化させる気相変化手段と、汚染水から気相変化された汚染物質と浄化水とを分離する気液分離手段とを内蔵し、気液分離手段には排水口を気液分離面よりも下方で汚染水の水面以下に位置するように設置させるとともに、吸水口、排水口の間で処理室，縦坑の隙間を閉塞するパッカを備えてなる汚染水浄化装置。
【請求項４】
請求項１〜３記載のいずれかの汚染水浄化装置において、流動手段と気相変化手段とが汚染水に気泡を注入する手段により兼用されていることを特徴とする汚染水浄化装置。
【請求項５】
請求項１〜４記載のいずれかの汚染水浄化装置において、処理室の内部に気相変化された汚染物質を浄化する汚染物質浄化手段が内蔵され、排気口から汚染物質が浄化された気体が排出されることを特徴とする汚染水浄化装置。
【請求項６】
請求項１〜５記載のいずれかの汚染水浄化装置において、流動手段と気相変化手段と気液分離手段とがパイプで接続されていることを特徴とする汚染水浄化装置。
【請求項７】
請求項１〜６記載のいずれかの汚染水浄化装置において、処理室が筒形に形成され、処理室の上端部付近に排気口が開口され下端部付近に吸水口が開口され中途部に排水口が開口されていることを特徴とする汚染水浄化装置。
【請求項８】
請求項７の汚染水浄化装置の全体を地盤に掘削された縦坑に挿入して設置し、汚染水を縦坑の下方から吸入して浄化水を地上に戻さずに縦坑から内部上方に戻して循環系を形成し、気相変化された汚染物質または汚染物質が浄化された気体のみを地上へ放出または回収することを特徴とする汚染水浄化方法。
【請求項９】
請求項１記載の汚染水浄化装置の全体を湖沼や汚染水溜まりなどの水面に浮遊させて設置し、汚染水の下方から汚染水を吸入して浄化し、汚染水の浅い上方に排水して循環系を形成し、気相変化された汚染物質または汚染物質が浄化された気体を水面上へ放出することを特徴とする汚染水浄化方法。
【発明の詳細な説明】
【０００１】
【発明の属する技術分野】
本発明は、トリクロロエチレン，テトラクロロエチレン等の揮発性有機塩素系化合物等からなる揮発性の汚染物質で汚染された汚染水を浄化する汚染水浄化装置，汚染水浄化方法に係る技術分野に属する。
【０００２】
【従来の技術】
この種の汚染水浄化装置，汚染水浄化方法としては、例えば特開平１０−２４９３２６号公報は、縦坑の内部のみで汚染水を浄化処理するために、縦坑を密閉化，負圧化し縦坑の内部に周囲の地盤から汚染された地下水を吸入して高水位に充満させ、縦坑の内部に充満した汚染された地下水にエアレーションを行って含まれている汚染物質を気相変化させ、気相変化した汚染物質の縦坑の内部への充満による加圧で浄化された地下水を周囲の地盤へ戻すものを開示する。なお、縦坑の内部へ充満した気相変化した汚染物質は、地上へ回収されて浄化される。
【０００３】
また、特開平１０ー２４９３２６号、同１０ー２７７５３１号及び同１１ー９０４１０号公報は、井戸を複数設けて、吸引と散気あるいは揚水と注入とを交互に繰り返すものを開示する。
【０００４】
【発明が解決しようとする課題】
前者の汚染水浄化装置，汚染水浄化方法では、汚染された地下水と浄化された地下水との縦坑への出入経路が共通しているため、汚染された地下水と浄化された地下水とが混合しやすい。また、縦坑に大量の汚染された地下水を充満させた後にエアレーションを行うため、汚染物質の気相変化が充分に奏されない。このために、浄化性能が低いという問題点がある。
【０００５】
さらに、縦坑の内部を負圧化するためには、地上に大型の吸引装置の設置が必要になるという問題点がある。さらにまた、縦坑以外では、汚染水を浄化することができないという問題点がある。
【０００６】
後者の汚染水浄化装置，汚染水浄化方法では、井戸数が多くなり、地上装置も必要となるので、小規模地域の浄化システムとして不向きである。
【０００７】
本発明は、このような問題点を考慮してなされたもので、地上に大型の装置を設置することなく汚染水を高性能に浄化することができ、しかも縦坑以外の場所でも使用することのできる汚染水浄化装置と、この汚染水浄化装置を縦坑で使用する場合の好適な使用方法である汚染水浄化方法とを提供することを主な課題とする。
【０００８】
【課題を解決するための手段】
前述の課題を解決するため、本発明に係る汚染水浄化装置は、次のような手段を採用する。
【０００９】
即ち、請求項１に記載のように、揮発性の汚染物質で汚染された汚染水を吸入する吸水口と、汚染水から汚染物質が除去された浄化水が排出される排水口と、気相変化された汚染物質が排出される排気口とが別個に開口された密閉の処理室を備え、処理室の内部に、汚染水，浄化水に流動性を付与する流動手段と、汚染水に含まれている汚染物質を気相変化させる気相変化手段と、汚染水から気相変化された汚染物質と浄化水とを分離する気液分離手段とを内蔵し、気液分離手段には排水口を気液分離面よりも下方で汚染水の水面以下に位置するように設置させて、処理室を汚染水の水面に浮遊させるフロートを備えてなる。
【００１０】
この手段では、汚染水が吸水口から処理室の内部に吸入され、処理室の内部で浄化された浄化水が別個の排水口から排出され、汚染水，浄化水の混合が避けられる。また、処理室の内部を流動する汚染水に対して気相変化手段により汚染物質を気相変化させ、排水口が気液分離面よりも下方において気体と液体とを分離した状態で排水する。このため、汚染水が高性能に浄化される。また、排水口からの空気の流入を阻止した状態で処理室が汚染水の水面に浮遊支持される。なお、汚染水が処理室の内部でのみ浄化処理されるため、地上に大型の装置を設置する必要がなく、縦坑以外の場所でも使用することができる。
【００１１】
また、請求項２に記載のように、揮発性の汚染物質で汚染された汚染水を吸入する吸水口と、汚染水から汚染物質が除去された浄化水が排出される排水口と、気相変化された汚染物質が排出される排気口とが別個に開口された密閉の処理室を備え、処理室の内部に、汚染水，浄化水に流動性を付与する流動手段と、汚染水に含まれている汚染物質を気相変化させる気相変化手段と、汚染水から気相変化された汚染物質と浄化水とを分離する気液分離手段とを内蔵し、気液分離手段には開放口を上方に向けたＵ字形の排水口を気液分離面よりも下方で汚染水の水面以下に位置するように設置させてなる。
【００１２】
この手段では、パイプを利用してその開口位置を設定することで、汚染物質を分離した状態で浄化水を排水可能となる。また、Ｕ字形の排水口の内部に滞留した浄化水で排水口を密閉する。
【００１３】
また、請求項３に記載のように、縦坑の内部に挿入される汚染水浄化装置であって、揮発性の汚染物質で汚染された汚染水を吸入する吸水口と、汚染水から汚染物質が除去された浄化水が排出される排水口と、気相変化された汚染物質が排出される排気口とが別個に開口された密閉の処理室を備え、処理室の内部に、汚染水，浄化水に流動性を付与する流動手段と、汚染水に含まれている汚染物質を気相変化させる気相変化手段と、汚染水から気相変化された汚染物質と浄化水とを分離する気液分離手段とを内蔵し、気液分離手段には排水口を気液分離面よりも下方で汚染水の水面以下に位置するように設置させるとともに、吸水口、排水口の間で処理室，縦坑の隙間を閉塞するパッカを備えてなる。
【００１４】
この手段では、縦坑の内部での汚染水，浄化水の滞溜が区画され、地中での循環系を形成可能となる。
【００１５】
また、請求項４に記載のように、請求項１〜３記載のいずれかの汚染水浄化装置において、流動手段と気相変化手段とが汚染水に気泡を注入する手段により兼用されていることを特徴とする。
【００１６】
この手段では、気泡の揚水機能により汚染水に流動性を付与しながら汚染水に含まれている汚染物質を気相変化させる。
【００１７】
また、請求項５に記載のように、請求項１〜４記載のいずれかの汚染水浄化装置において、処理室の内部に気相変化された汚染物質を浄化する汚染物質浄化手段が内蔵され、排気口から汚染物質が浄化された気体が排出されることを特徴とする。
【００１８】
この手段では、汚染物質浄化手段によって気相変化された汚染物質が処理室の内部で浄化処理される。
【００１９】
また、請求項６に記載のように、請求項１〜５記載のいずれかの汚染水浄化装置において、流動手段と気相変化手段と気液分離手段とがパイプで接続されていることを特徴とする。
【００２０】
この手段では、パイプで各手段が接続されることで、縦長に密閉して形成可能となる。
【００２１】
また、請求項７に記載のように、請求項１〜６記載のいずれかの汚染水浄化装置において、処理室が筒形に形成され、処理室の上端部付近に排気口が開口され下端部付近に吸水口が開口され中途部に排水口が開口されていることを特徴とする。
【００２２】
この手段では、全体が縦坑に挿入しやすい筒形に形成される。
【００２３】
さらに、前述の課題を解決するため、本発明に係る汚染水浄化方法は、次のような手段を採用する。
【００２４】
即ち、請求項８に記載のように、請求項７の汚染水浄化装置の全体を地盤に掘削された縦坑に挿入して設置し、汚染水を縦坑の下方から吸入して浄化水を地上に戻さずに縦坑から内部上方に戻して循環系を形成し、気相変化された汚染物質または汚染物質が浄化された気体のみを地上へ放出または回収することを特徴とする。
【００２５】
この手段では、汚染水浄化装置の全体を縦坑に挿入して設置し、縦坑の内部で循環系を形成して内部でのみ汚染水を浄化処理する。
【００２６】
さらに、請求項９に記載のように、請求項１記載の汚染水浄化装置の全体を湖沼や汚染水溜まりなどの水面に浮遊させて設置し、汚染水の下方から汚染水を吸入して浄化し、汚染水の浅い上方に排水して循環系を形成し、気相変化された汚染物質または汚染物質が浄化された気体を水面上へ放出することを特徴とする。
【００２７】
この手段では、浮遊させることで湖沼や汚染水溜まりなどに設置され、水中での深度に応じて循環系を形成することで汚染水を浄化処理する。
【００２８】
【発明の実施の形態】
以下、本発明に係る汚染水浄化装置および方法の実施の形態を図面に基づいて説明する。
【００２９】
図１は、本発明に係る汚染水浄化装置および方法の実施の形態（１）を示すものである。
【００３０】
この実施の形態では、縦坑Ｈまたは湖沼Ｌでの使用に好適な基本構成を示すが、図１としては湖沼Ｌでの使用を示す。
【００３１】
この実施の形態は、密閉され４つに区画された処理室１を備えている。処理室１の各区画は、接続パイプ２で上下に直列に連結されてなる。
【００３２】
処理室１の最下部の区画には、汚染水ａ，浄化水ｂに流通性を付与する流動手段３が内蔵されている。流動手段の具体例としては、汚染水ａを吸引する水中ポンプや汚染水ａに気泡を注入する気泡発生装置等が考えられる。ちなみに、気泡発生装置を採用した場合、パイプ内径５ｃｍで送気量が２０ｌ／ｍｉｎとしたとき、１〜２ｌ／ｍｉｎの揚水量で２ｍの揚程が得られる。なお、この区画には、流動手段３による付与される流動力で汚染水ａを吸入する吸水口４が設けられている。
【００３３】
処理室１の最下部から２つめの区画には、汚染水ａに含まれている汚染物質ｃを気相変化させる気相変化手段５が内蔵されている。気相変化手段５の具体例としては、気泡発生装置や汚染水ａに超音波振動を発振する超音波発生装置や汚染水ａを霧状に噴霧する噴霧装置等が考えられる。ちなみに、気泡発生装置を採用した場合、１回の循環におけるエアーレーションによって浄化率をほぼ９５〜９８％とすることができる。
【００３４】
処理室１の最下部から３つめの区画には、汚染水ａから気相変化された汚染物質ｃと浄化水ｂとを分離する気液分離手段６が内蔵されている。気液分離手段６の具体例としては、気相変化された汚染物質ｃを含んで貯溜された汚染水ａを少量ずつ落下させる溢流装置や気相変化された汚染物質ｃを衝突させるトラップ装置等が考えられる。なお、この区画には、汚染水ａから汚染物質が除去された浄化水が排出される排水口７が設けられている。
【００３５】
処理室１の最上部の区画には、気相変化された汚染物質ｃを浄化する汚染物質浄化手段８が内蔵されている。汚染物質浄化手段８の具体例としては、気相変化された汚染物質ｃを吸着捕捉する活性炭フィルタ等が考えられる。なお、この区画には、汚染物質ｃが浄化された気体ｄが排出される排気口９が設けられている。
【００３６】
本発明に係る汚染水浄化装置の基本構成では、例えば、湖沼Ｌに排水口７を含む気液分離手段６まで浸漬するように設置される。
【００３７】
湖沼Ｌの汚染水ａは、吸水口４から処理室１の内部に吸入され、処理室１の内部で浄化された浄化水ｂが吸水口４とは別個の排水口から排出される。従って、汚染水ａ，浄化水ｂの混合が避けられ、浄化水ｂが直ちに吸水口４から吸入されるようなことはない。また、気相変化手段５は、処理室１の内部を流動する限定された量の汚染水ａに対して汚染物質ｃを気相変化させる。従って、汚染物質ｃが確実に気相変化される。この結果、汚染水ａを高性能に浄化することができることになる。
【００３８】
なお、汚染水ａが処理室１の内部でのみ浄化処理されるため、地上に大型の装置を設置する必要がなく、縦坑以外の場所である湖沼Ｌでも支障なく使用することができる。図示しないが、処理室１の縦長形状を縦坑に挿入して設置することで、縦坑内で使用されることは説明を要しない。
【００３９】
図２は、本発明に係る汚染水浄化装置および方法の実施の形態を（２）を示すものである。
【００４０】
この実施の形態では、湖沼Ｌでの使用に好適なものを示してある。
【００４１】
この実施の形態は、前述の実施の形態（１）の気液分離手段６について改良を加えてなる。
【００４２】
この実施の形態の気液分離手段６は、処理室１を湖沼Ｌ（汚染水ａ）の水面に浮遊させるフロート１９が取付けられている。このフロート１９は、排水口７を湖沼Ｌの水面の下方に位置させる浮力に設定されている。図示するように、気液分離手段６の周囲に拡大してフロート１９が配設されており、揺動に対する安定した浮遊が得られる。
【００４３】
この実施の形態によると、前述の実施の形態（１）と同様の作用，効果が奏されることに加えて、特別に支持手段を設備しなくても、湖沼Ｌの水面に浮遊支持することができる。また、排水口７を湖沼Ｌの水面の下方に位置しているため、気液分離手段６への外気の流入が阻止され、汚染物質ｃと浄化水ｂとを分離する気液分離性能が低下することがない。
【００４４】
図３は、本発明に係る汚染水浄化装置および方法の実施の形態を（３）を示すものである。
【００４５】
この実施の形態では、湖沼Ｌでの使用に好適なものを示してある。
【００４６】
この実施の形態は、前述の実施の形態（１）の排水口７について改良を加えてなる。
【００４７】
この実施の形態の排水口７は、開放口を上方に向けたＵ字形に形成され、半部が気液分離手段６の内部で立上げられている。この場合にＵ字形のパイプ７ａを利用すると、Ｕ字形のパイプ一端７ｂが内部で立ち上げられて開口し、パイプ他端が気液分離手段６の外部で開口して排水口７となる。
【００４８】
この実施の形態によると、前述の実施の形態（１）と同様の作用，効果が奏されることに加えて、固定的に支持されて湖沼Ｌの水面が降下した場合に、Ｕ字形の排水口７の内部に滞溜した浄化水ｂで排水口７を密閉して、気液分離手段６への外気の流入を阻止する。
【００４９】
図４は、本発明に係る汚染水浄化装置および方法の実施の形態を（４）を示すものである。
【００５０】
この実施の形態では、縦坑Ｈでの使用に好適なものを示してある。
【００５１】
この実施の形態は、密閉された２重管構造の筒形の処理室１を備えている。
【００５２】
処理室１を構成する外筒１ａは、上端，下端が閉塞されて縦坑Ｈの地上口にフランジ１０で支持され縦坑Ｈの内部に挿入されている。外筒１ａの上端面には、筒形の排気口９が設けられている。また、外筒１ａの下端部の周面には、排水口７が開口されている。外筒１ａの内部には、中途部に仕切枠１ｂが設けられて、上部側に活性炭フィルタからなる汚染物質浄化手段８が内蔵され、下部側に内筒１ｃが挿通されている。
【００５３】
内筒１ｃは、上端，下端が閉塞されて外筒１ａの下端面に貫通支持され外筒１ａの下方へ突出している。内筒１ｃの上端部の周面には、小孔の集合の溢流装置からなる気液分離手段６が設けられている。内筒１ｃの下端部の周面には、吸水口４が開口されている。内筒１ｃの内部には、吸水口４に近接して気泡発生装置を構成するポーラスストーンからなる流動手段３，気相変化手段５の兼用手段が内蔵されている。なお、この兼用手段には、地上に設置されたエアコンコンプレッサ１１が流量調整バルブ１２を介して接続されている。
【００５４】
さらに、この実施の形態では、内筒１ｃの吸水口４の上部側と縦坑Ｈとの隙間がパッカ１３で閉塞されている。
【００５５】
この実施の形態は、地下水の水位が気液分離手段６よりも下方で排水口７よりも上方に位置するようにして設置される。この設置位置は、処理室１の内部への空気等の流入を防止して、処理室１の密閉性を保持する。
【００５６】
この実施の形態によると、前述の実施の形態（１）と同様の作用，効果が奏されることに加えて、縦坑Ｈの内部でのみ浄化処理を行うことができ、地上に装置類をほとんど設置する必要がなくなる。
【００５７】
また、書流動手段３，気相変化手段５の兼用で処理室１の全体の構造が簡素化される。
【００５８】
また、パッカ１３により、汚染水ａ，浄化水ｂの混合がより確実に阻止され、パッカ１３を基準として上下方向において区分けされる縦坑Ｈと地中での循環系が形成される。
【００５９】
図５は、本発明に係る汚染水浄化装置および方法の実施の形態を（５）を示すものである。
【００６０】
この実施の形態では、縦坑Ｈでの使用に好適なものを示してある。
【００６１】
この実施の形態は、前述の実施の形態（４）の縦坑Ｈについて改良を加えてなる。
【００６２】
この実施の形態の縦坑Ｈは、内壁部材１４で補強された井戸構造になっている。そして、内壁部材１４の下方においてパッカ１３が取付けられる部分が盲板１４ａに形成され、その盲板１４ａの上下側では小孔が多数設けられた孔抜板１４ｂになっている。
【００６３】
この実施の形態によると、前述の実施の形態（４）と同様の作用，効果が奏されることに加えて、内壁部材１４ので補強により、汚染水ａ，浄化水ｂの流動による浸食で縦坑Ｈが崩壊するのが防止される。また、パッカ１３と盲板１４ａの上下距離とを基準として上下方向において区分けされる循環系が形成される。
【００６４】
図６は、本発明に係る汚染水浄化装置および方法の実施の形態を（６）を示すものである。
【００６５】
この実施の形態では、縦坑Ｈでの使用に好適なものを示してある。
【００６６】
この実施の形態は、前述の実施の形態（５）の排水口７について改良を加えてなる。
【００６７】
この実施の形態の排水口７は、フランジ１０よりも上方に位置されている。また、地表に露出した内壁部材１４の周囲に不透水性のシート２０が敷設されている。内壁部材１４は上方のみを盲板１４ａとし、その下側では小孔が多数設けられた孔抜板１４ｂに形成したものが用いられる。なお、パッカ１３は、省略されている。
【００６８】
この実施の形態によると、前述の実施の形態（５）と同様の作用，効果が奏されることに加えて、パッカ１３を使用しなくても地盤を介して汚染水ａ，浄化水ｂの混合が確実に阻止される。なお、シート２０は、浄化水ｂの流動による浸食で縦坑Ｈが崩壊するのを防止すると同時に、浄化水の地盤への浸透位置をより遠くにすることで地盤内の循環系を大きくすることができる。
【００６９】
図７は、本発明に係る汚染水浄化装置および方法の実施の形態を（７）を示すものである。
【００７０】
この実施の形態では、縦坑Ｈでの使用に好適なものを示してある。
【００７１】
この実施の形態は、前述の実施の形態（４）の外筒１ａ，排気口９について改良を加えてなる。
【００７２】
この実施の形態の外筒１ａは、仕切枠１ｂの少し下方に縦坑Ｈの内部の空気等を吸気する吸気口１ｄが開口されている。また、この実施の形態の排気口９には、地上に設置されたブロア１４が接続されている。
【００７３】
この実施の形態によると、前述の実施の形態（４）と同様の作用，効果が奏されることに加えて、地盤に含有された揮発性の汚染物質ｃをブロア１４によって強制的に縦坑Ｈに吸引して吸気口１ｄから吸入し、汚染物質浄化手段８を通じて浄化処理するすることができる。
【００７４】
図８は、本発明に係る汚染水浄化装置および方法の実施の形態を（８）を示すものである。
【００７５】
この実施の形態では、縦坑Ｈでの使用に好適なものを示してある。
【００７６】
この実施の形態は、前述の実施の形態（２）の汚染物質浄化手段８について改良を加えてなる。
【００７７】
この実施の形態の汚染物質浄化手段８は、地上に設置されている。
【００７８】
この実施の形態によると、前述の実施の形態（４）と同様の作用，効果が奏されることに加えて、縦坑Ｈに挿入される処理室１の構造をより簡素化することができる。
【００７９】
図９は、本発明に係る汚染水浄化装置および方法の実施の形態を（９）を示すものである。
【００８０】
この実施の形態では、縦坑Ｈでの使用に好適なものを示してある。
【００８１】
この実施の形態は、前述の実施の形態（８）の外筒１ａについて改良を加えてなる。
【００８２】
この実施の形態の外筒１ａは、２重管構造からなる。即ち、前述の外筒１ａの外側に第２外筒１ｅが外装されている。そして、第２外筒１ｅの中途部に浄化水が排出される第２排水口７’が開口されている。
【００８３】
この実施の形態によると、前述の実施の形態（８）と同様の作用，効果が奏されることに加えて、排水口７が外筒１ａと第２外筒１ｅとの間に滞溜した浄化水ｂで密閉されているため、地下水の水位が気液分離手段６よりも下方で吸水口４よりも上方に位置する広い範囲Ｓで設置することができる。
【００８４】
図１０は、本発明に係る汚染水浄化装置および方法の実施の形態を（１０）を示すものである。
【００８５】
この実施の形態では、縦坑Ｈでの使用に好適なものを示してある。
【００８６】
この実施の形態は、前述の実施の形態（８）の外筒１ａの内部について改良を加えてなる。
【００８７】
この実施の形態の外筒１ａの内部には、外筒１ａの内部の水位に対応して吸水口４を開閉調整する弁１５を有する流動抑制手段が設けられている。弁１５は、外筒１ａの内部に収容されているフロート１６によって昇降動する。なお、弁１５，フロート１６の動作の円滑性を確保するために、気液分離手段６，吸水口４が小孔の集合からなる構造としてある。
【００８８】
この実施の形態によると、前述の実施の形態（８）と同様の作用，効果が奏されることに加えて、弁１５，フロート１６で構成される流動抑制手段によって処理室１の内部での汚染水ａの流動量の増大を防止して、気相変化手段５による汚染物質ｃの気相変化の低下を防止することができる。
【００８９】
図１１は、本発明に係る汚染水浄化装置および方法の実施の形態を（１１）を示すものである。
【００９０】
この実施の形態では、縦坑Ｈでの使用に好適なものを示してある。
【００９１】
この実施の形態は、前述の実施の形態（８）の処理室１，気相変化手段５，気液分離手段６について改良を加えてなる。
【００９２】
この実施の形態の処理室１は、単管からなる。また、この実施の形態の気相変化手段５は、噴霧装置からなる。また、この実施の形態の気液分離手段６は、トラップ装置からなる。なお、気相変化手段５は、水位に応じて昇降する伸縮材で支持されたフロート１７に搭載され水没が防止されている。また、気相変化手段５への送気経路に伸縮構造１８が設けられている。
【００９３】
この実施の形態によると、前述の実施の形態（８）と同様の作用，効果が奏されることに加えて、気相変化手段５が気泡発生装置よりも噴霧装置のほうが気泡汚染物質ｃの気相変化を促進することができるため、汚染水ａに砂等が混入していない場合に有効となる。
【００９４】
前述の実施の形態（１）〜（１１）は、可能な範囲においてそれぞれ組み合わせて実施することを妨げないものである。
【００９５】
【発明の効果】
以上のように、本発明の請求項１〜３に係る汚染水浄化装置は、汚染水が吸水口から吸入されて処理室の内部で浄化された浄化水が別個の排水口から排出されるので、汚染水，浄化水の混合が避けられるうえ、気液分離面よりも下方に排水口があるので浄化水から気体を分離した状態で排水することができる。この場合に汚染水が処理室の内部でのみ浄化処理されるため、地上に大型の装置を設置する必要がなく、縦坑以外の場所でも使用することができる。
【００９６】
また、本発明の請求項８に係る汚染水浄化方法は、縦坑に汚染水浄化装置の全体を挿入することだけで簡単に設置することができ、これによって汚染水を縦坑の内部下方から吸入して浄化処理し内部上方に戻すという坑内循環処理系を形成することができ、地上での装置類を不要にできる。
【００９７】
さらに、本発明の請求項９に係る汚染水浄化方法は、湖沼や汚染水溜まりなどの水面に汚染水浄化装置の全体を浮遊させることで設置することができ、汚染水の下方から汚染水を吸入・浄化して浅い上方に浄化水を排水するという深度対応型の水中循環系を形成することができ、水面上の装置類を不要にできる。
【図面の簡単な説明】
【図１】本発明に係る汚染水浄化装置および方法の実施の形態（１）を示す側面図である。
【図２】本発明に係る汚染水浄化装置および方法の実施の形態（２）を示す側面図である。
【図３】本発明に係る汚染水浄化装置および方法の実施の形態（３）を示す側面図である。
【図４】本発明に係る汚染水浄化装置および方法の実施の形態（４）を示す断面図である。
【図５】本発明に係る汚染水浄化装置および方法の実施の形態（５）を示す断面図である。
【図６】本発明に係る汚染水浄化装置および方法の実施の形態（６）を示す断面図である。
【図７】本発明に係る汚染水浄化装置および方法の実施の形態（７）を示す断面図である。
【図８】本発明に係る汚染水浄化装置および方法の実施の形態（８）を示す断面図である。
【図９】本発明に係る汚染水浄化装置および方法の実施の形態（９）を示す断面図である。
【図１０】本発明に係る汚染水浄化装置および方法の実施の形態（１０）を示す断面図である。
【図１１】本発明に係る汚染水浄化装置および方法の実施の形態（１１）を示す断面図である。
【符号の説明】
１ 処理室
３ 流動手段
４ 吸水口
５ 気相変化手段
６ 気液分離手段
７ 排水口
８ 汚染物質浄化手段
９ 排気口
１５ 弁（流動抑制手段）
１６ フロート（流動抑制手段）
ａ 汚染水
ｂ 浄化水
ｃ 汚染物質
【図１】
0003607152.tif 000002
【図２】
0003607152.tif 000003
【図３】
0003607152.tif 000004
【図４】
0003607152.tif 000005
【図５】
0003607152.tif 000006
【図６】
0003607152.tif 000007
【図７】
0003607152.tif 000008
【図８】
0003607152.tif 000009
【図９】
0003607152.tif 000010
【図１０】
0003607152.tif 000011
【図１１】
0003607152.tif 000012